(57)【要約】【課題】  乾燥粉体吸入器を提供する。【解決手段】  本発明の乾燥粉体吸入器（１０）は、マウスピース（１６）及びこのマウスピースに連結された送出通路を持つハウジング（１８）、このハウジング内に位置決めされた、乾燥粉体の投与量を保持するための複数のリザーバを含むマガジンであって、このマガジンの移動時にリザーバがハウジングの送出通路内に順次位置決めされるようにハウジング内で移動自在のマガジン、ハウジングに連結された、ハウジングのマウスピースへのアクセスを開閉するように選択的に移動自在のカバー（１４）、及びこのカバーに連結され、ハウジング内に延び、カバーを移動してマウスピースを開放するときにマガジンを移動し、マガジンのリザーバのうちの一つを送出通路内に位置決めする、マガジンと係合自在のレーキを含む。
2006518658.tif 000002
【特許請求の範囲】
【請求項１】
乾燥粉体吸入器において、
マウスピース及びこのマウスピースに連結された送出通路を持つハウジング、
前記ハウジング内に位置決めされた、乾燥粉体の投与量を保持するための複数のリザーバを含むマガジンであって、このマガジンの移動時に前記リザーバが前記ハウジングの送出通路内に順次位置決めされるように前記ハウジング内で移動自在のマガジン、
前記ハウジングに連結された、前記ハウジングの前記マウスピースへのアクセスを開閉するように選択的に移動自在のカバー、及び
前記カバーに連結され、前記ハウジング内に延び、前記カバーを移動して前記マウスピースを開放するときに前記マガジンを移動し、前記マガジンの前記リザーバのうちの一つを前記送出通路内に位置決めする、前記マガジンと係合自在のレーキ
を含む、乾燥粉体吸入器。
【請求項２】
請求項１に記載の吸入器において、前記マガジンの前記リザーバの各々は、前記リザーバが前記ハウジングの前記送出通路内に位置決めされる前に実質的に耐湿的に且つ気密をなして覆われる、吸入器。
【請求項３】
請求項１に記載の吸入器において、前記マガジンの前記リザーバの各々は、前記リザーバが前記ハウジングの前記送出通路内に位置決めされる前に箔層で実質的に耐湿的に且つ気密をなして覆われる、吸入器。
【請求項４】
請求項１に記載の吸入器において、前記マガジンはポリプロピレン製であり、前記マガジンの前記リザーバの各々は、前記リザーバが前記ハウジングの前記送出通路内に位置決めされる前に箔層で実質的に耐湿的に且つ気密をなして覆われる、吸入器。
【請求項５】
請求項４に記載の吸入器において、前記ハウジングは、前記マガジンが移動するとき、前記リザーバが前記ハウジングの前記送出通路内に位置決めされる直前に、前記マガジンの各リザーバから前記箔を除去するように位置決めされた先の尖った縁部を含む、吸入器。
【請求項６】
請求項１に記載の吸入器において、前記マガジンは環状であり、この環状マガジンの回転により複数の乾燥粉体リザーバを前記ハウジングの前記送出通路内に順次位置決めするように、前記マガジンが回転自在に移動できる、吸入器。
【請求項７】
請求項６に記載の吸入器において、前記マガジンは、ハウジングに関して一方の方向だけに回転自在に移動できる、吸入器。
【請求項８】
請求項６に記載の吸入器において、前記環状マガジンは、半径方向外方に延びる歯を含み、これらの歯は、前記カバーを開放するとき、前記マガジンを前進させるために前記マウスピースカバーの前記レーキと係合する、吸入器。
【請求項９】
請求項８に記載の吸入器において、前記レーキは前記カバーに枢着されており、前記カバーは前記ハウジングに枢着されている、吸入器。
【請求項１０】
請求項１に記載の吸入器において、乾燥粉体を収容したリザーバの数を表示するための手段を更に含む、吸入器。
【請求項１１】
請求項１に記載の吸入器において、前記マガジンの前記リザーバに収容された乾燥粉体薬剤を更に含む、吸入器。
【請求項１２】
請求項１に記載の吸入器において、前記投与量マガジンの前記リザーバは、前記マガジンの下面及び上面から延びるボアを含み、このマガジンは、前記下面を覆う耐湿性気密材料でできた下層、及び前記上面を覆う耐湿性気密材料でできた上層を含み、薬剤を前記マガジンの前記ボア内に乾燥した気密状態で包囲する、吸入器。
【請求項１３】
請求項１２に記載の吸入器において、前記耐湿性気密材料でできた上層には、前記薬剤ボアに被せたドームが設けられている、吸入器。
【請求項１４】
請求項１３に記載の吸入器において、前記マガジンはプラスチック製であり、前記耐湿性気密材料は、前記マガジンに接着剤で固定された金属箔を含む、吸入器。
【請求項１５】
請求項１に記載の吸入器において、前記投与量マガジンの各リザーバは、耐湿性気密材料でできたライニングを含む、吸入器。
【請求項１６】
請求項１に記載の吸入器において、前記投与量マガジンの各リザーバは、前記マガジンに装着した耐湿性気密材料でできたトラフに形成されている、吸入器。
【請求項１７】
請求項１に記載の吸入器において、前記マガジンは、前記マガジンの上面に前記リザーバに被せて固定された耐湿性気密材料でできた層を含み、前記吸入器は、前記マガジンの移動時に前記マガジンの上面から前記耐湿性気密材料でできた層を引き剥がす回転自在の巻取りホイールを持つ箔除去機構を更に含む、吸入器。
【請求項１８】
請求項１に記載の吸入器において、前記投与量マガジンは、耐湿性気密材料でできた少なくとも一つの層でシールされたボア、及びこれらのボア内に収容された展開可能なピストンを含み、これらのピストンの各々は、前記耐湿性気密材料でできた層を通ってピストンを押したときに吸入のために提供される、粉体薬剤を保持するための少なくとも一つの隔室を有する、吸入器。
【請求項１９】
請求項１８に記載の吸入器において、前記投与量マガジンをその上側に移動したとき、ピストンを前記投与量マガジンから連続的に展開するためのアクチュエータを更に含む、吸入器。
【請求項２０】
請求項１８に記載の吸入器において、前記カバーの開放時に前記ピストンを前記投与量マガジンから連続的に展開するため、前記カバーに連結されたアクチュエータを更に含む、吸入器。
【請求項２１】
請求項１８に記載の吸入器において、前記薬剤ピストンは、多数の隔室を各々有する、吸入器。
【請求項２２】
請求項２１に記載の吸入器において、前記薬剤ピストンの各々について、前記多数の隔室は大きさが異なる、吸入器。
【請求項２３】
請求項２１に記載の吸入器において、前記投与量マガジンを前記アクチュエータの上側に移動したとき、前記ピストンを前記投与量マガジンから展開するためのアクチュエータ、及びこのアクチュエータによる展開の大きさを調節するための調節機構を更に含む、吸入器。
【請求項２４】
請求項１に記載の吸入器において、前記投与量マガジンは、展開可能な薬剤ピストンを収容したボアを含み、これらのボアは、前記マガジンを通って半径方向に延びる円形ボア、前記マガジンを通って軸線方向に延びる円形ボア、前記マガジンを通って半径方向に延びる矩形ボア、前記マガジンを通って軸線方向に延びる矩形ボアのうちの一つである、吸入器。
【請求項２５】
請求項１に記載の吸入器において、前記投与量マガジンは、展開可能な薬剤ピストンを収容した多数のボアの組を含み、前記吸入器は、前記ピストンの組を前記マガジンから展開するための展開可能なアクチュエータの組を含む、吸入器。
【請求項２６】
乾燥粉体吸入器用の投与量マガジンにおいて、
前記マガジンの下面と上面との間を延びる複数のリザーバであって、前記マガジンは、このマガジンの移動時に前記リザーバが前記乾燥粉体吸入器の前記ハウジングの送出通路内に順次位置決めされるように、乾燥粉体吸入器のハウジング内で移動自在である、リザーバ、
前記マガジンの前記下面を覆う、耐湿性気密材料でできた下層、
前記マガジンの前記上面を覆う、耐湿性気密材料でできた上層であって、耐湿性気密材料でできたこれらの層が前記マガジンの前記リザーバを、実質的に乾燥した気密をなした状態で包囲する、上層、及び
前記リザーバ内に位置決めされた、乾燥粉体薬剤を保持するための少なくとも一つのチャンバを含む展開可能な薬剤ピストンであって、耐湿性気密材料でできた層の一方を通して前記ピストンを展開すると、前記乾燥粉体薬剤が、吸入のため、前記乾燥粉体吸入器の前記送出通路に提供される、薬剤ピストン
を含む、投与量マガジン。
【請求項２７】
請求項２６に記載の投与量マガジンにおいて、前記マガジンはポリプロピレン製であり、前記耐湿性気密材料でできた層の各々は金属箔を含む、投与量マガジン。
【請求項２８】
請求項２６に記載の投与量マガジンにおいて、前記マガジンは環状であり、この環状マガジンの回転により、リザーバを前記乾燥粉体吸入器の前記送出通路内に順次位置決めするように回転自在に移動できる、投与量マガジン。
【請求項２９】
請求項２６に記載の投与量マガジンにおいて、前記マガジンの前記ピストンの前記チャンバ内に収容された乾燥粉体薬剤を更に含む、投与量マガジン。
【請求項３０】
請求項２６に記載の投与量マガジンにおいて、前記投与量マガジンは、展開可能な薬剤ピストンを収容した多数のボアの組を含み、前記吸入器は、ピストンの組を前記マガジンから展開するための展開可能なアクチュエータの組を含む、投与量マガジン。
【請求項３１】
請求項２６に記載の投与量マガジンにおいて、前記薬剤ピストンは、多数の隔室を各々含む、投与量マガジン。
【請求項３２】
請求項３１に記載の投与量マガジンにおいて、前記薬剤ピストンの各々について、前記多数の隔室は大きさが異なる、投与量マガジン。
【請求項３３】
請求項２６に記載の投与量マガジンを含む乾燥粉体吸入器において、
投与量マガジンを収容し、マウスピース及びこのマウスピースに連結された送出通路を持つハウジングを更に含み、前記マガジンは、このマガジンの移動時に前記リザーバが前記乾燥粉体吸入器の前記ハウジングの前記送出通路内に順次位置決めされるように、前記ハウジング内に位置決めされ且つこのハウジング内で移動自在である、吸入器。
【請求項３４】
請求項３３に記載の吸入器において、前記マガジンは前記ハウジングに関し、一方向のみで回転自在に移動できる、吸入器。
【請求項３５】
請求項３３に記載の吸入器において、前記投与量マガジンが前記アクチュエータ上で移動されるときに前記ピストンを前記投与量マガジンから連続的に展開するためのアクチュエータを更に含む、吸入器。
【請求項３６】
請求項３５に記載の吸入器において、前記アクチュエータによる展開の大きさを調節するための調節機構を更に含む、吸入器。
【発明の詳細な説明】
【技術分野】
【０００１】
本開示は、乾燥粉体薬剤を患者に投与するための乾燥粉体吸入器に関する。更に詳細には、本開示は、呼吸作動式乾燥粉体吸入器用の、個々に離間された、複数の計量済み投与量を持つマガジン、及び患者が吸入するための乾燥粉体薬剤の計量済み投与量を提供するための方法に関する。
【背景技術】
【０００２】
本願は、２００３年２月２０日に出願された英国特許出願第０３０３８７０．０号の優先権を主張する。
計量された投与量の薬剤の吸入器は、薬剤を患者の肺に投薬する上で周知である。多くの場合、吸入器は、乾燥粉体薬剤をバルク形態で収容したリザーバ、及びリザーバから薬剤を患者が吸入する別個の量で計量するための手段を含む。
【０００３】
例えば、本開示の譲受人に譲渡された米国特許第５，５０３，１４４号には、薬剤リザーバを持つ呼吸作動式乾燥粉体吸入器が示してある。リザーバは、乾燥粉体薬剤をバルク形態で収容し、吸入器は、リザーバから粉体状薬剤を別個の量で取り出すための計量チャンバを含む。吸入器は、更に、患者の吸入時に、取り出された粉体状薬剤をマウスピースを通して飛沫同伴するための空気入口を含む。米国特許第５，５０３，１４４号に示す吸入器のリザーバ及び計量チャンバは、適正に機能し、個別の量の粉体状薬剤を患者に投与する。
【０００４】
本開示の譲受人に譲渡された米国特許第６，６５５，３８１号は、正確な投与量の薬剤を乾燥粉体吸入器に一貫して供給するための、計量済み投与量アッセンブリを示す。このアッセンブリは、乾燥粉体送出通路を画成するキャップ及び計量済み投与量の乾燥粉体を保持するための複数の別個のリザーバを含む、マガジンを含む。キャップは、リザーバをキャップの送出通路内に順次位置決めするため、マガジンに関して移動自在である。患者が吸入器を使用して吸入するため、アッセンブリの乾燥粉体送出通路を通る、呼吸によって発生した低圧により、乾燥粉体が、通路内に位置決めされたリザーバから同伴される。計量済み投与量の粉体状薬剤を提供することにより、薬剤が患者に正確な投与量で一貫して投薬される。
【特許文献１】米国特許第５，５０３，１４４号
【特許文献２】米国特許第６，６５５，３８１号
【発明の開示】
【発明が解決しようとする課題】
【０００５】
更に、乾燥粉体薬剤を患者に投与するための新規であり且つ改善された乾燥粉体吸入器が所望とされている。乾燥粉体吸入器は、好ましくは、個々に分離され且つシールされた複数の計量済み投与量を備えたマガジン、及び患者が吸入器を使用して吸入するために使用中にマガジンを前進させ、投与量をマガジンから展開するための機構を更に含む。
【課題を解決するための手段】
【０００６】
本開示は、乾燥粉体吸入器において、マウスピース及びこのマウスピースに連結された送出通路を持つハウジング、ハウジング内に位置決めされた、乾燥粉体の投与量を保持するための複数のリザーバを含むマガジンであって、このマガジンの移動時にリザーバがハウジングの送出通路内に順次位置決めされるようにハウジング内で移動自在のマガジン、ハウジングに連結された、ハウジングのマウスピースを開閉するように移動自在のカバー、及びカバーに連結され、ハウジング内に延び、カバーを移動してマウスピースを開放するときにマガジンを移動させ、マガジンのリザーバのうちの一つを送出通路内に位置決めする、マガジンと係合自在のレーキを含む、乾燥粉体吸入器を提供する。
【０００７】
ここに開示する計量済み投与量マガジン及び計量済み投与量を提供するための方法のこの他の特徴及び利点は、以下の詳細な説明及び添付図面から、本開示が属する技術分野の当業者に更に容易に明らかになるであろう。
【発明を実施するための最良の形態】
【０００８】
当業者が、本発明による計量済み投与量マガジン及び乾燥粉体吸入器を形成するための方法を更に容易に理解するように、例示の実施例を添付図面を参照して以下に詳細に説明する。
【０００９】
図１及び図２は、本開示に従って形成した乾燥粉体吸入器１０の例示の実施例を示す。乾燥粉体吸入器１０は、計量済み投与量マガジン１２（図１及び図２には示してないが図５及び図６に示してある）を含む。計量済み投与量マガジン１２は、患者の乾燥粉体吸入器１０を使用した吸入のため、正確な投与量の乾燥粉体、例えば乾燥粉体薬剤即ち薬剤配合物を一貫して提供する。
【００１０】
使用中、患者は吸入器１０のマウスピースカバー１４を開き、吸入し、次いでカバーを閉じる。マウスピースカバー１４は、図１０及び図１１にも示してある。カバー１４を開く動作により計量済み投与量マガジン１２を前進し（図５及び図６参照）、吸入するための投与量を提供する。投与量を取り出さずにカバー１４を閉じると、その投与量は吸入器１０内に入っており、吸入のために再度提供されることがない。かくして、誤って二倍の投与量を摂取する可能性がない。使用者は、カバー１４を部分的に開くことによって、マガジンを前進させることなく、残った投与量の数の表示を見ることができる。吸入器１０内で投与量が個々にシールされているため、この吸入器では所定レベルの耐湿性が提供される。
【００１１】
図１及び図２に示すように、吸入器１０は、上部分２０及びこれとかみ合う下部分２２を含むハウジング１８を有する。図３は、ハウジング１８の上部分２０を下から見た図であり、図４は、ハウジングの下部分２２の平面図である。図５及び図６は、図１及び図２の吸入器１０の投与量マガジン１２を示し、図７及び図９は、図１及び図２の吸入器１０の吸入器１０の解凝集器のカップ状ベース２４を示し、図８は解凝集器のトップピース２６を示す。カップ状ベース２４は、ハウジング１８の下部分２２に受け入れられ、投与量マガジン１２は、解凝集器のトップピース２６上に回転するように受け入れられており且つハウジング１８の上部分２０によって案内される。
【００１２】
作動中、マガジン１２は、このマガジン１２のリザーバ３０をハウジング１８の上部分２０の送出通路３２内に順次位置決めするため、ハウジング１８の上部分２０に関して移動自在である。次いで、解凝集器の出口ポート３４（図７及び図９参照）のところに呼吸によって発生させた低圧により、乾燥粉体送出通路３２を通って解凝集器の乾燥粉体供給ポート３６（図８参照）内への空気流が発生する。図３に最もよく示すように、上部分２０の通路３２は、呼吸によって発生させた空気流の速度を上昇させるベンチュリ（又はベンチュリ型制限部）を含む。ベンチュリ内の空気圧は、速度上昇によって低下し、圧力低下により、乾燥粉体の計量済み投与量が通路３２と整合したリザーバ３０から取り出され、解凝集器に移動する空気流中に同伴される。
【００１３】
好ましくは、マガジン１２は、マガジンの乾燥粉体リザーバ３０をハウジングの上部分の送出通路３２内で順次位置決めするため、ハウジングの上部分２０に関して移動自在である。しかしながら、通路をリザーバ上に順次位置決めするため、マガジン１２を定置にし、上部分２０をマガジンに対して移動自在にしてもよいということは理解されるべきである。
【００１４】
マガジン１２は環状形状を備えており、環状マガジンを回転することにより、複数の乾燥粉体リザーバ３０がハウジング１８の上部分２０の送出通路３２内に順次位置決めされる。環状マガジン１２は、半径方向外方に延びる歯４０を含み、これらの歯は、カバー１４を開いたときにマガジン１２を前進させるため、マウスピースカバー１４の枢動レーキ４２と係合する。図１０及び図１１は、カバー１４から枢動自在に延びるマガジン前進レーキ４２を示す。係合レーキ４２はマガジン１２の歯４０と係合し、マウスピースカバー１４を開いたときにマガジン１２を回転させて前進させる。
【００１５】
乾燥粉体リザーバ３０がマガジン１２の上面に設けられている。これらのリザーバは、均等な大きさを備えており且つ互いに関して均等に間隔が隔てられている。マガジン１２には、好ましくは、その上面に亘ってシールが設けられている。これは、リザーバが上部分２０の送出通路３２内に位置決めされる前に、マガジンのリザーバ３０内の乾燥粉体の投与量を耐湿的に且つ気密をなしてシールするためである。シールは、例えば、マガジン１２の環状の上面に接着剤で固定され、乾燥粉体をリザーバ３０内に耐湿的に且つ気密をなして覆う金属箔からできていてもよい。ハウジング１８の上部分２０は、この上部分の送出通路３２内にリザーバが位置決めされる前にリザーバ３０の各々の上にある箔に穴を穿けるための手段を備えていてもよい。穿孔手段は、例えば、送出通路３２のベンチュリの前方でハウジング１８の上部分２０から下方に延びるブレードを含んでもよい。
【００１６】
製造者が、マガジン１２のリザーバ３０を、適正に計量した乾燥粉体薬剤、又は薬剤及び乳糖等の適当な粒状キャリヤを含む薬剤配合物の個々の投与量で充填するようになっている。充填されたリザーバ３０は、次いで、耐湿的に且つ気密をなして、例えば箔によってシールされ、マガジン１２及びハウジング１８の上部分２０が吸入器１０の部品として組み立てられた状態で提供される。吸入器１０及びマガジン１２は、使い捨てであってもよい。別の態様では、投与量マガジン１２は、使い捨てでない吸入器１０に取り外し自在に挿入でき、その結果、空のマガジンを充填済みのマガジンと交換できる。
【００１７】
好ましくは、マガジン１２は、ハウジング１８の上部分２０に関して複数の別個の増分で移動自在である。各増分において、マガジンの複数の乾燥粉体リザーバ３０の一つが上部分の送出通路３２内に位置決めされる。更に、マガジン１２は、好ましくは、ハウジング１８に関して一方向にしか移動できず、そのため、使用者はリザーバ３０に順次アクセスでき、リザーバ３０の一つに一回より多くアクセスできない。更に、好ましくは、マガジンの全ての乾燥粉体リザーバ３０が上部分の送出通路３２に位置決めされた後、マガジンの全ての投与量が使い終えたことを使用者に表示するため、マガジン１２とハウジングの上部分２０との間で移動が起こらないようにする。例えば、マガジン１２には、図５に示すように、半径方向内方に延びるキャッチ４４が設けられている。このキャッチにより、全てのリザーバ３０がハウジング１８の送出通路３２を通過したとき、マガジンがこれ以上回転しないようにする。
【００１８】
吸入器１０は、乾燥粉体を収容した乾燥粉体リザーバ３０の数、即ちマガジン１２に残る計量済み投与量の数を表示するためのインジケータを含んでもよい。インジケータは、例えば、マガジンの外面に設けられた、マガジン１２のリザーバ３０と対応する順次印刷された数字を含んでいてもよい。その結果、カバー１４を部分的に開いて（マガジンを前進させずに）マガジンの数字を見ることによって、ハウジング１８の上部分２０の送出通路３２を通過したリザーバの数を確認できる。図示していないけれども、吸入器は、マガジンの最後の薬剤リザーバを前進するときにマウスピースカバー１４を開放位置又は閉鎖位置に係止するためのロックを備えていてもよい。
【００１９】
解凝集器は、その名の示す通り、患者が粉体を吸入する前に乾燥粉体の凝集塊を粉砕する。解凝集器は、この解凝集器内に形成された渦チャンネルの円形断面に対して実質的に接線方向に延びる直径方向に向き合った二つの入口ポート４６を有する。そのため、これらの入口ポート４６を通ってチャンバに進入する空気流は、少なくとも最初、チャンバに関して横方向に差し向けられ、供給ポートを通って進入する空気流と衝突し、組み合わせ空気乱流を形成する。
【００２０】
解凝集器は、渦チャンバ５２の第１端にベーン４８を備えている。これらのベーン４８の大きさは、組み合わせ空気流の少なくとも一部がベーンの斜めの表面と衝突するように定められている。渦チャンバ５２の幾何学的形状により、組み合わせ空気流及び同伴された乾燥粉体は螺旋状乱流経路即ち渦をなしてチャンバを通過する。かくして、乾燥粉体の粒子及び凝集塊は渦チャンバの壁に絶えずぶつかり且つ互いに衝突し、これにより粒子及び凝集塊は互いに擦り付け合い又は粉砕し合う。更に、粒子及び凝集塊はベーン４８の斜めの表面から跳ね返され、これにより衝撃及び衝突が更に多くなる。常にぶつかり合うことにより、乾燥粉体の凝集塊は壊れて付随的粒子になり、粒子を実質的にミクロン化する。
【００２１】
渦チャンバ５２を出るとき、組み合わせ空気流及び同伴された乾燥粉体の方向が再度変化し、ハウジング１８のマウスピース１６を通って延びる出口ポート３４を通過する。組み合わせ空気流及び同伴された乾燥粉体は、流れの渦成分を受け取り、空気流及び同伴された乾燥粉体は、出口ポート３４を通って螺旋をなして渦を巻く。ミクロン単位の大きさの粉体及び或る程度残った凝集塊が、渦チャンバで与えられた渦を維持するため、渦流により出口ポート３４で追加の衝突が起こり、或る程度残った凝集塊は、患者によって吸入される前に更に破砕される。従って、解凝集器により、乾燥粉体の粒子を、吸入中に粉体を患者の肺の気管支領域に適切に浸透させるのに十分に小さくする。
【００２２】
解凝集器は、二つの部品、即ち図７及び図９に示すカップ状ベース２４及び図８に示すトップピース２６から組み立てられる。これらの部品は互いに連結され、解凝集器内に渦チャンバ５２を形成する。カップ状ベース２４はハウジング１８の下部分２２に固定され、出口ポート３４及び入口ポート４６を画成する。トップピース２６はベーン４８を形成し、供給ポート３６を画成する。
【００２３】
トップピース２６は、更に、図８に示すように、上方に延びる円筒形ガイド５０、及びガイド内で供給ポート３６から上方に延びるチムニー（図示せず）を含む。環状マガジン１２の内周は、このマガジンがガイドを中心として回転できるように、ガイド５０に同軸に受け入れられる。ハウジング１８の上部分２０のフードが供給ポート３６のチムニーに被せられ、上部分３０の送出通路３２を解凝集器の供給ポート３６に連結する。
【００２４】
解凝集器、マガジン、及びハウジングは、好ましくは、ポリプロピレン、アセタール樹脂、又は成形ポリスチレン等のプラスチックから製造されるが、金属又はこの他の適当な材料から製造してもよい。
【００２５】
図１乃至図１１の吸入器は、病気やその症状を治癒又は緩和するために有利には動物の肺や鼻腔に投与できる薬物処方に使用してもよい。本発明の投与形態には、多くの薬剤、生物活性の有効物質、及び医薬品配合物が含まれる。使用されることが考えられる薬剤の種類の非限定的例には、ＡＣＥ阻害薬、にきび薬、アルカロイド、アミノ酸製剤、アナボリック製剤、鎮痛剤、麻酔薬、制酸薬、抗狭心症薬、抗不安剤、抗不整脈薬、抗喘息薬、抗生物質、抗コレステロール血症剤、抗凝結薬、抗痙攣薬、抗うつ薬、抗糖尿病薬、下痢止め薬、解毒薬、制吐剤、抗ヒスタミン剤、抗高血圧薬、抗炎症薬、抗脂質薬、抗躁病薬、制嘔吐剤、抗腫瘍薬、抗肥満薬、抗パーキンソ病剤、抗精神病薬、解熱剤、抗リウマチ薬、鎮痙薬、抗卒中剤、抗血栓症薬、抗甲状腺製剤、抗腫瘍剤、鎮咳薬、抗潰瘍剤、抗尿酸血剤、抗ウィルス剤、食欲刺激または抑制剤、生体応答調節薬、血液製剤、骨代謝調節剤、心血管薬剤、中枢神経系興奮薬、脳拡張薬、コリンエステラーゼ阻害剤、避妊薬、環動脈拡張薬、咳抑制剤、充血除去剤、食事サプメント、利尿剤、ＤＮＡ及び遺伝子変更剤、ドーパミン受容体作用薬、子宮内膜症治療剤、酵素、勃起不全治療薬、赤血球生成剤、去痰薬、排卵誘発剤、胃腸薬、ホメオパシー薬剤、ホルモン剤、高血糖または低血糖剤、カルシウム過剰血症及び低カルシウム血症の治療剤、催眠薬、免疫調整薬、免疫抑制剤、イオン交換樹脂、緩下薬、偏頭痛製剤、動揺病治療薬、粘液溶解剤、筋弛緩剤、神経筋薬、肥満治療剤、骨そしょう症製剤、分娩促進薬、副交感神経遮断薬、副交感神経作用薬、末梢血管拡張薬、プロスタグランジン、心理療法薬、向精神薬、興奮剤、呼吸剤、鎮静剤、喫煙停止補助剤、交感神経遮断剤、全身性及び非全身性の抗感染薬、テリン（ｔｅｒｉｎｅ）弛緩剤、甲状腺及び抗甲状腺製剤、精神安定薬、振戦薬、尿路薬、血管収縮薬、血管拡張薬、及びこれらの組み合わせが含まれる。
【００２６】
本発明の幾つかの実施例では、本発明で使用するための投薬形態には、吸入投与に適した抗炎症剤が含まれる。このような抗炎症剤には、例えば、気管支拡張薬及びステロイドが含まれる。典型的なβ２−アドレナリン受容体作用薬である気管支拡張薬には、サルメテロール、ホルモテロール、バンブテロール、アルブテロール、テルブタリン、ピルブテロール、ビトルテロール、メタプロテレノール、イソエタリン、イソプロテレノール、フェノテロール、又はプロカテロールが含まれるがこれらに限定されない。本発明で使用することが考えられる非限定的抗炎症剤ステロイドには、ブデソナイド、ベクロメタゾン、フルチカゾン、及びトリアムシノロンジアセテートが含まれる。考えられる追加の抗炎症剤には、イパトロミウム臭化物、及びクロモグリク酸ナトリウムが含まれる。
【００２７】
本明細書中で説明した装置を使用して投与されるべき治療効果のある処方及び投与量は、開業医に周知である。開業医は、投与量及び／又は処方を特定の患者／動物の必要に合わせて変化させてもよいということは、当業者に明らかである。
【００２８】
図１２、図１３、及び図１４は、本開示に従って形成された投与量マガジン６０の例示の実施例を示す。投与量マガジン６０は、例えば、図１乃至図１１の吸入器で使用してもよい。図１４に示すように、投与量マガジン６０は、薬剤を受け入れるため、軸線方向ボア６２の形態の薬剤リザーバを含む。図１２及び図１３に示すように、投与量マガジン６０は、マガジンの下面を覆う耐湿性気密材料でできた下層６４、及びマガジンの上面を覆い、薬剤をマガジンのボア６２内に乾燥状態で気密に包囲する耐湿性気密材料でできた上層６６を更に含む。図１３に最もよく示すように、耐湿性気密材料でできた上層６６には、薬剤ボア６２上にドーム６８が形成されており、そのため、マガジン６０の回転時にドーム６８を連続的に切断開放して薬剤を開放するようにブレード７０を位置決めできる。
【００２９】
耐湿性気密材料には、例えば、マガジンに接着剤で固定された金属箔が含まれる。更に、箔層には接着剤が選択的に設けられていてもよく、例えば、投与量の均等性を維持するため薬剤と接触する場所には接着剤が設けられていない。耐湿性気密材料には、例えば、プラスチック層に固定された金属箔積層体が含まれていてもよく、これは、次いで、マガジンに接着剤で固定される。
【００３０】
図１５及び図１６は、本開示に従って形成された投与量マガジン８０の別の例示の実施例を示す。図示のように、マガジン８０は薬剤リザーバ８２を含み、各薬剤リザーバは、金属製挿入体又は箔等の耐湿性気密材料でできたライニング８４を含む。
【００３１】
図１７及び図１８は、本開示に従って形成された投与量マガジン９０の別の例示の実施例を示す。図示のように、マガジン９０は、プラスチック等の第１材料でできたトラフ９４に形成された薬剤リザーバ９２を含む。トラフ９４は、金属等の耐湿性気密材料でできたトラフ９６に受け入れられている。金属製トラフ９６は、型打ち又は金属射出成形によってあらかじめ成形できる。金属製トラフ９６は、金属製箔から形成されていてもよい。
【００３２】
図１９は、本開示に従って形成された投与量マガジン１００の別の例示の実施例を示す。これは、箔除去機構１０２を更に含む。箔除去機構は、回転自在の巻取りホイール１０２を含む。このホイールは、マガジンの回転時に、金属箔等の耐湿性気密材料でできた上層１０４をマガジン１００の上面から引き剥がす。箔１０４がマガジン１００から引き剥がされると、薬剤リザーバ１０６が剥き出しになり、その中の薬剤を吸入できる。箔除去機構１０２は、更に、マガジン１００を割出しすることができ、この割出しに使用できる。
【００３３】
図２０及び図２１は、本開示に従って形成された投与量マガジン１１０の別の例示の実施例を示す。投与量マガジン１１０は、展開可能な薬剤ピストン１１４が入った軸線方向ボア１１２を含む。ピストン１１４は、金属箔等の耐湿性気密材料でできた層１１６と１１８との間にシールされている。これらのピストン１１４は、粉体薬剤の少なくとも一つの投与量を保持する少なくとも一つの隔室１２０を各々有する。粉体薬剤は、ピストン１１４を箔でできた上層１１６を通して上方に押したときに吸入用に提供される。
【００３４】
図２２は、投与量マガジン１３０、薬剤ピストン１３２、及びアクチュエータ１３４の例示の実施例を示す。この図にはピストンの展開時が示してあるが、全て、本開示に従って形成されている。図２３は、図２２のアクチュエータ１３４の斜視図である。マガジン１３０がアクチュエータ１３４上を直線的に移動するとき、アクチュエータ１３４は、ピストン１３２を箔でできた上層１１６を通して上方に連続的に押し、吸入用薬剤の投与量が入った隔室１３６を露呈する。
【００３５】
図２４及び図２５は、投与量マガジン１４０、マウスピースカバー１４２、及びアクチュエータ１４４の追加の例示の実施例を示す。これらは全て、本開示に従って形成されており、アクチュエータ１４４は、マウスピースカバー１４２の開放時に薬剤ピストン１４６をマガジン１４０から展開するようになっている。
【００３６】
図２６は、投与量マガジン１５０、薬剤ピストン１５２、及びアクチュエータ１５４の別の例示の実施例を、ピストンを展開した状態で示す。これらは全て、本開示に従って形成されている。薬剤ピストン１５２は、乾燥粉体薬剤を保持するための、垂直方向に配置された肩部１５６ａ、１５６ｂ、１５６ｃの形態の多数の隔室を有する。ピストン１５２が箔でできた上層１１６を通って延びる量を変化させることによって、吸入される薬剤の量を変化させることができる。例えば、ピストンの三つの肩部１５６ａ、１５６ｂ、１５６ｃのうちの一つの肩部１５６ａだけが箔の上方に延びるようにピストン１５２を箔１１６を通して延ばすことができ、その結果、最少量の投与量が吸入のために露呈される。別の態様では、ピストンの肩部１５６ａ、１５６ｂ、１５６ｃが全て箔の上方に延びるようにピストン１５２を箔１１６を通して延ばすことができ、その結果、最大量の投与量が吸入のために露呈される。
【００３７】
図２７乃至図３０は、本開示に従って形成された薬剤ピストン１６０、１６２、１６４、１６６の様々な例示の実施例を示す。図２７のピストン１６０は、乾燥粉体薬剤を支持するための垂直方向に配置された肩部１６８ａ、１６８ｂ、１６８ｃを含み、これらの肩部１６８ａ、１６８ｂ、１６８ｃは、ピストン１６０の底部に向かって小さくなっている。図２８のピストン１６２は、乾燥粉体薬剤を保持するための垂直方向に配置された隔室１７０ａ、１７０ｂ、１７０ｃを含み、これらの隔室１７０ａ、１７０ｂ、１７０ｃは、ピストンの底部に向かって大きくなっている。図２９のピストン１６４は、乾燥粉体薬剤を保持するための垂直方向に配置された肩部１７２を含み、これらの肩部１７２は同じ大きさである。図３０のピストン１６６は、乾燥粉体薬剤を保持するための垂直方向に配置された隔室１７４を含み、これらの隔室は同じ大きさである。
【００３８】
図３１乃至図３８は、本開示に従って形成された薬剤ピストン１８０、１８２、１８４、１８６の別の例示の実施例を示す。図３１及び図３２のピストン１８０は円形断面を有し、乾燥粉体薬剤を保持するための単一の隔室１９０を含む。図３３及び図３４のピストン１８２は円形断面を有し、乾燥粉体薬剤を保持するための垂直方向に配置された肩部１９２を含む。これらの肩部１９２は同じ大きさである。図３５及び図３６のピストン１８４は矩形断面を有し、乾燥粉体薬剤を保持するための単一の隔室１９４を含む。図３７及び図３８のピストン１８６は矩形断面を有し、乾燥粉体薬剤を保持するための垂直方向に配置された隔室１９６を含む。これらの隔室１９６は同じ大きさである。
【００３９】
図３９は、本開示に従って形成された投与量マガジン２００の別の例示の実施例の上方から見た斜視図である。投与量マガジン２００は、例えば図２７乃至図３８の薬剤ピストン等の展開可能な薬剤ピストンを受け入れるための様々に形成され且つ配置されたボアの例を含む。マガジン２００は、例えば、マガジンを通って半径方向に延びる円形ボア２０２、又はマガジンを通って軸線方向に延びる円形ボア２０４を含んでいてもよい。マガジン２００は、更に、マガジンを通って半径方向に延びる矩形ボア２０６、又はマガジンを通って軸線方向に延びる矩形ボア２０８を含んでいてもよい。更に、マガジン２００は、半径方向に配置された矩形ボアの組２１０、又は半径方向に延びる矩形ボアの組２１２を含んでいてもよい。
【００４０】
図４０は、投与量マガジン２２０、薬剤ピストン２２４をマガジンから展開するためのアクチュエータ２２２、及びこのアクチュエータによって行われる展開の大きさを調節するための調節機構２２６の例示の実施例を示す。これらは全て、本開示に従って形成されている。調節機構２２６は、アクチュエータによって行われるピストン２２４の展開の大きさを調節するために使用者によって調節され、そのため、吸入のために露呈される乾燥粉体薬剤の量を調節できる。調節機構２２６は、アクチュエータ２２２の全移動を阻止するシム２２８を含み、使用者は、所望の投与量と対応するシム２２８の数をダイヤルできる。
【００４１】
図４１は、展開可能な薬剤ピストンの組２３２を含む本開示に従って形成された投与量マガジン２３０の別の例示の実施例の平面図であり、図４２は図４１の投与量マガジン２３０の一部の斜視図であり、薬剤ピストン２３４ａ、２３４ｂ、２３４ｃ、２３４ｄの組２３２が展開した即ちマガジンの上面から上方に延びた状態で示してある。図４３及び図４４は、薬剤ピストン２３４ａ、２３４ｂ、２３４ｃ、２３４ｄの組２３２をマガジンから展開するためのアクチュエータ２３８ａ、２３８ｂ、２３８ｃ、２３８ｄの組２３６を示す。使用者は、アクチュエータ２３８ａ、２３８ｂ、２３８ｃ、２３８ｄを所望の通りに操作してピストン２３４ａ、２３４ｂ、２３４ｃ、２３４ｄのうちの一つ又はそれ以上を展開し、吸入のために露呈される乾燥粉体薬剤の量を調節することができる。
【００４２】
図４５及び図４６は、展開可能な薬剤ピストンを受け入れるためのボア２４２を含む、本開示に従って形成された投与量マガジン２４０の別の例示の実施例を示す。ボア２４２は、マガジン２４０の軸線Ａに関して半径方向に延びる。
【００４３】
図４７及び図４８は、展開可能な薬剤ピストンを受け入れるためのボア２５２を含む、本開示に従って形成された投与量マガジン２５０の別の例示の実施例を示す。ボア２５２は、半径方向に且つマガジン２５０の軸線Ａに関して所定の角度をなして延びる。
【００４４】
図４９は、展開可能な薬剤ピストンを受け入れるためのボア２６２を含む、本開示に従って形成された投与量マガジン２６０の追加の例示の実施例を示す。ボア２６２は、マガジン２６０に関して接線方向に延びる。
【００４５】
図５０は、展開可能な薬剤ピストンを受け入れるためのボア２７２を含む、本開示に従って形成された投与量マガジン２７０の別の例示の実施例を示す。ボア２７２は、マガジン２７０の外周に位置決めされており、マガジンの軸線Ａに関して軸線方向に延びる。
【００４６】
図５１は、半径方向に延びる歯２８２を含む、本開示に従って形成された回転自在の投与量マガジン２８０の別の例示の実施例を示す。歯２８２は図示のように爪２８４と係合し、マガジン２８０が逆回転しないようにし、マガジンの最後の薬剤リザーバ２８６の前進の表示を提供する。この機構は、マガジン２８０を前進させるのに必要な力を大きくするため、ノイズや振動を大きくするため、又は最後の薬剤リザーバ２８６が近づいており、吸入器を再充填するか或いは交換しなければならないという他の表示を提供するために使用できる。
【００４７】
図５２及び図５３は、投与量マガジン２９０と係合するための本開示に従って形成された爪２９４の例示の実施例を示す。爪２９４は、マガジン２９０の最後の薬剤リザーバ２９６及び延びる歯２９２が前進するときに異なる音を出すようになっている。
【００４８】
図５４は、半径方向に延びる薬剤投与量容器３０２及びマガジンの回転時に投与量容器を順次開放するための固定ブレード３０４を含む、本開示に従って形成された回転自在の投与量マガジン３００の別の例示の実施例を示す。
【００４９】
図５５は、薬剤投与量容器３１２を含む、本開示に従って形成された投与量マガジン３１０の例示の実施例を示す。この図には、マガジン３１０が直線的に移動するときに投与量容器３１２を連続的に開放するための本開示に従って形成されたブレード３１４の例示の実施例が示してある。
【００５０】
図５６は、薬剤投与量容器３２２を含む、本開示に従って形成された投与量マガジン３２０の別の例示の実施例を示す。この実施例では、投与量マガジンの平行な層３２４、３２６を引き剥がして巻取り、投与量マガジン３２０を直線的に移動し、層３２４、３２６間に収容された投与量容器を連続的に開放する。
【００５１】
図５７は、薬剤の投与量３３２がマガジン３３０の表面に取り付けられた、本開示に従って形成された投与量マガジン３３０の別の例示の実施例を示す。マガジン３３０は弾性材料製であり、これが先の尖った隅部３３４の周囲で引っ張られ、マガジンが隅部３３４のところで湾曲するため、薬剤の投与量３３２がマガジン３３０から連続的に取り出される。
【００５２】
図５８は、薬剤投与量容器３４２を含む、本開示に従って形成された投与量マガジン３４０の別の例示の実施例を示す。投与量マガジン３４０は、先の尖った隅部３４４の周囲で引っ張られ、容器が隅部のところで湾曲するため、投与量容器３４２を連続的に開放する。
【００５３】
以上の詳細な説明及び例示の実施例は、本開示による乾燥粉体薬剤吸入器及びそのエレメントの単なる例示である。当業者は、本開示の精神及び範囲から逸脱することなく、本明細書中に開示した吸入器及び吸入器エレメントの様々な変形及び変更を案出できる。従って、本開示は、本開示及び以下の特許請求の範囲の精神及び範囲内の全てのこのような変形及び変更を含もうとするものである。
【図面の簡単な説明】
【００５４】
【図１】閉鎖位置で示すマウスピースカバーを持つハウジングを含む、本開示による乾燥粉体吸入器の例示の実施例の斜視図である。
【図２】マウスピースカバーが開放位置にあり、吸入器のマウスピースを露呈した図１の吸入器の斜視図である。
【図３】図１の吸入器のハウジングの上部分を下から見た平面図である。
【図４】図１の吸入器のハウジングの下部分の平面図である。
【図５】図１の吸入器の投与量マガジンの平面図である。
【図６】図１の吸入器の投与量マガジンの側面図である。
【図７】図１の吸入器の解凝集器のカップ状ベースの平面図である。
【図８】図１の吸入器の解凝集器のトップピースを下から見た斜視図である。
【図９】図１の吸入器の解凝集器のカップ状ベースの側面図である。
【図１０】カバーから枢動自在に延びるマガジン前進レーキを示す、図１の吸入器のマウスピースカバーの平面図である。
【図１１】図１のマウスピースカバー及び前進レーキの側面図である。
【図１２】本開示に従って形成された投与量マガジンの例示の実施例の平面図である。
【図１３】図１２の１３−１３線に沿った投与量マガジンの断面図である。
【図１４】上箔層を取り外した状態で示す図１２の投与量マガジンの平面図である。
【図１５】本開示に従って形成された投与量マガジンの別の例示の実施例の平面図である。
【図１６】図１５の１６−１６線に沿った投与量マガジンの断面図である。
【図１７】本開示に従って形成された投与量マガジンの追加の例示の実施例の平面図である。
【図１８】図１７の１８−１８線に沿った投与量マガジンの断面図である。
【図１９】箔除去機構を含む、本開示に従って形成された投与量マガジンの別の例示の実施例の一部の斜視図である。
【図２０】本開示に従って形成された投与量マガジンの別の例示の実施例の平面図である。
【図２１】投与量マガジンの展開可能な薬剤ピストンを示す、図２０の２１−２１線に沿った投与量マガジンの断面図である。
【図２２】投与量マガジン、薬剤ピストン、及びアクチュエータの、ピストンが展開状態で示してある、別の例示の実施例の断面図であり、全ての構成要素は、本開示に従って形成されている。
【図２３】図２２のアクチュエータの斜視図である。
【図２４】投与量マガジン、マウスピースカバー、及びアクチュエータの追加の例示の実施例の斜視図であり、全ての構成要素は、本開示に従って形成されており、アクチュエータは、マウスピースカバーが開放されたときに薬剤ピストンをマガジンから展開させるようになっている。
【図２５】図２４の投与量マガジン、マウスピースカバー、及びアクチュエータの斜視図である。
【図２６】投与量マガジン、薬剤ピストン、及びアクチュエータの、ピストンを展開状態で示す別の例示の実施例の断面図であり、全ての構成要素は、本開示に従って形成されている。
【図２７】本開示に従って形成された薬剤ピストンの例示の実施例の側面図である。
【図２８】本開示に従って形成された薬剤ピストンの例示の実施例の側面図である。
【図２９】本開示に従って形成された薬剤ピストンの例示の実施例の側面図である。
【図３０】本開示に従って形成された薬剤ピストンの例示の実施例の側面図である。
【図３１】本開示に従って形成された薬剤ピストンの別の例示の実施例の側面図である。
【図３２】図３１の薬剤ピストンの平面図である。
【図３３】本開示に従って形成された薬剤ピストンの追加の例示の実施例の側面図である。
【図３４】図３３の薬剤ピストンの平面図である。
【図３５】本開示に従って形成された薬剤ピストンの別の例示の実施例の側面図である。
【図３６】図３５の薬剤ピストンの平面図である。
【図３７】本開示に従って形成された薬剤ピストンの追加の例示の実施例の側面図である。
【図３８】図３７の薬剤ピストンの平面図である。
【図３９】本開示に従って形成された投与量マガジンの別の例示の実施例の斜視図である。
【図４０】投与量マガジン、薬剤ピストンをマガジンから展開するためのアクチュエータ、及びこのアクチュエータによる展開の大きさを調節するための調節機構の例示の実施例の側面図であり、全ての構成要素は、本開示に従って形成されている。
【図４１】展開可能な薬剤ピストンの組を含む、本開示に従って形成された投与量マガジンの別の例示の実施例の平面図である。
【図４２】一組の薬剤ピストンを展開状態で、即ちマガジンの上面から上方に延びた状態で示す、図４１の投与量マガジンの一部の斜視図である。
【図４３】一組の薬剤ピストンをマガジンから展開するための、一つ又はそれ以上のピストンを展開するために所望の通りに操作できる一組のアクチュエータを示す、図４１の投与量マガジンの一部の側面図である。
【図４４】四つのアクチュエータのうちの二つのアクチュエータが操作されてピストンを展開した、アクチュエータの組を示す、図４１の投与量マガジンの一部の端面図である。
【図４５】展開可能な薬剤ピストンを受け入れるための、マガジンの軸線に関して半径方向に延びるボアを含む、本開示に従って形成された投与量マガジンの別の例示の実施例の斜視図である。
【図４６】図４５の投与量マガジンの一つのボアの断面図である。
【図４７】展開可能な薬剤ピストンを受け入れるための、マガジンの軸線に関して半径方向上方に所定の角度で延びるボアを含む、本開示に従って形成された投与量マガジンの別の例示の実施例の斜視図である。
【図４８】図４７の投与量マガジンの一つのボアの断面図である。
【図４９】展開可能な薬剤ピストンを受け入れるための、マガジンの軸線に関して接線方向に延びるボアを含む、本開示に従って形成された投与量マガジンの追加の例示の実施例の斜視図である。
【図５０】展開可能な薬剤ピストンを受け入れるための、マガジンの外周に位置決めされており且つマガジンの軸線に関して軸線方向に延びるボアを含む、本開示に従って形成された投与量マガジンの別の例示の実施例の斜視図である。
【図５１】マガジンが逆回転しないように及びマガジンの最後の投与量の前進を表示するため、爪と図示のように係合するための半径方向に延びる歯を含む、本開示に従って形成された投与量マガジンの別の例示の実施例の平面図である。
【図５２】投与量マガジンと係合するための、本開示に従って形成された爪の例示の実施例の側面図である。
【図５３】投与量マガジンと係合するための、本開示に従って形成された爪の例示の実施例の側面図である。
【図５４】半径方向に延びる薬剤投与量容器を含み、マガジンの回転時に投与量容器を連続的に開放するために固定ブレードが位置決めされた、本開示に従って形成された回転自在の投与量マガジンの別の例示の実施例の平面図である。
【図５５】ストローが直線的に移動するときに投与量容器を連続的に開放するための本開示に従って形成されたブレードの例示の実施例が示してある、薬剤投与量容器を含む本開示に従って形成されたストローの例示の実施例の側面図である。
【図５６】ストローの平行な層を引き剥がして巻取ることによりストローを直線的に移動し、投与量容器を連続的に開放する、薬剤投与量容器を含む本開示に従って形成されたストローの別の例示の実施例の側面図である。
【図５７】キャリヤが隅部の周囲で曲げられるときに薬剤の投与量をキャリヤから放出するため、先の尖った隅部の周囲で作用が加えられている状態でキャリヤを示す、薬剤の投与量がキャリヤの表面に取り付けられた、本開示に従って形成された薬剤投与量キャリヤの例示の実施例の側面図である。
【図５８】容器が隅部の周囲で曲げられるときに投与量容器を連続的に開放するため、先の尖った隅部の周囲で作用が加えられている状態でストローを示す、本開示に従って形成されたストローの別の例示の実施例の側面図である。
【図１】
2006518658.tif 000003
【図２】
2006518658.tif 000004
【図３】
2006518658.tif 000005
【図４】
2006518658.tif 000006
【図５】
2006518658.tif 000007
【図６】
2006518658.tif 000008
【図７】
2006518658.tif 000009
【図８】
2006518658.tif 000010
【図９】
2006518658.tif 000011
【図１０】
2006518658.tif 000012
【図１１】
2006518658.tif 000013
【図１２】
2006518658.tif 000014
【図１３】
2006518658.tif 000015
【図１４】
2006518658.tif 000016
【図１５】
2006518658.tif 000017
【図１６】
2006518658.tif 000018
【図１７】
2006518658.tif 000019
【図１８】
2006518658.tif 000020
【図１９】
2006518658.tif 000021
【図２０】
2006518658.tif 000022
【図２１】
2006518658.tif 000023
【図２２】
2006518658.tif 000024
【図２３】
2006518658.tif 000025
【図２４】
2006518658.tif 000026
【図２５】
2006518658.tif 000027
【図２６】
2006518658.tif 000028
【図２７】
2006518658.tif 000029
【図２８】
2006518658.tif 000030
【図２９】
2006518658.tif 000031
【図３０】
2006518658.tif 000032
【図３１】
2006518658.tif 000033
【図３２】
2006518658.tif 000034
【図３３】
2006518658.tif 000035
【図３４】
2006518658.tif 000036
【図３５】
2006518658.tif 000037
【図３６】
2006518658.tif 000038
【図３７】
2006518658.tif 000039
【図３８】
2006518658.tif 000040
【図３９】
2006518658.tif 000041
【図４０】
2006518658.tif 000042
【図４１】
2006518658.tif 000043
【図４２】
2006518658.tif 000044
【図４３】
2006518658.tif 000045
【図４４】
2006518658.tif 000046
【図４５】
2006518658.tif 000047
【図４６】
2006518658.tif 000048
【図４７】
2006518658.tif 000049
【図４８】
2006518658.tif 000050
【図４９】
2006518658.tif 000051
【図５０】
2006518658.tif 000052
【図５１】
2006518658.tif 000053
【図５２】
2006518658.tif 000054
【図５３】
2006518658.tif 000055
【図５４】
2006518658.tif 000056
【図５５】
2006518658.tif 000057
【図５６】
2006518658.tif 000058
【図５７】
2006518658.tif 000059
【図５８】
2006518658.tif 000060
【国際調査報告】
2006518658.tif 000061
2006518658.tif 000062
2006518658.tif 000063
2006518658.tif 000064
2006518658.tif 000065
2006518658.tif 000066
2006518658.tif 000067
2006518658.tif 000068
2006518658.tif 000069
2006518658.tif 000070